(57)【要約】【課題】軸受形式を変えても潤滑油の供給を行うことのできるバックアップロール軸用ころ軸受を提供する。【解決手段】バックアップロール軸１２が挿入される内輪１１２の内輪軌道面と、この内輪１１２に同軸配置された外輪１１３の外輪軌道面との間に複数列配置された多数のころ１１４に潤滑油を供給する給油穴１１を設ける際して、内輪１１２の内周面１１２ａにおけるバックアップロール軸１２に設けられている複数本の潤滑油供給穴１０６のいずれかに対応する位置から、内輪１１２の外周面１１２ｂにおいてころ１１４が通過する内輪軌道面以外の個所に向けて、内輪１１２の径方向に対して斜めに形成する。【選択図】　　　　図１
2004017081.tif 000002
【特許請求の範囲】
【請求項１】
多段圧延機のバックアップロール軸を支持するために、前記バックアップロール軸が挿入される内輪と、この内輪に同軸配置された外輪と、前記内輪の内輪軌道面および前記外輪の外輪軌道面間に複数列配置された多数のころと、前記内輪の内周面から当該内輪の外周面まで貫通する給油穴とを有するバックアップロール軸用ころ軸受であって、
前記給油穴の貫通方向が、前記バックアップロールに設けられている潤滑油供給穴に対応する位置から前記内輪の外周面における前記ころが通過する内輪軌道面以外の個所に向けて、前記内輪の径方向に対して斜めに形成されていることを特徴とするバックアップロール軸用ころ軸受。
【発明の詳細な説明】
【０００１】
【発明の属する技術分野】
この発明は、多段圧延機に用いられ強大な圧延力に耐えうるバックアップロール軸用ころ軸受に関するものである。
【０００２】
【従来の技術】
従来より、多段圧延機１００としては、図６に示すように、圧延する素材を挟持して押圧し、薄く成形する一対のワークロール１０１が回転自在に設けられている。また、ワークロール１０１の後方（図６において上下両側）には、複数個の第１中間ロール１０２、第２中間ロール１０３、及びバックアップロール１０４が回転可能に設けられており、バックアップロール１０４が強大な圧延力に抵抗するようになっている。
図７に示すように、第１中間ロール１０２、第２中間ロール１０３、及びバックアップロール１０４は、複列円筒ころ軸受１０５に潤滑油を供給する潤滑油供給穴１０６が多数設けられた支持軸１０７に、複列円筒ころ軸受１０５が回転自在に配設され、前段のロールに外輪を当接させてこの外輪を回転させ、ワークロール１０１に作用する負荷を受けるようになっている。
【０００３】
一般的に、多段圧延機１００に使用されるころ軸受１０５の形式としては、図８から図１１に示すように、つばなし３列円筒ころ１０８、内輪分離つば／外輪外つばつき３列円筒ころ１０９、内輪つば／外輪中つば付き２列円筒ころ１１０、内輪分離つば／外輪中つば付き２列円筒ころ１１１等がある。
【０００４】
図８には、つばなし３列円筒ころ１０８の断面が示されている。すなわち、内輪１１２と外輪１１３との間には、長さの等しい３列のころ１１４ａを転動自在に保持するための保持器１１５ａ，１１５ｂが設けられており、保持器１１５ａ，１１５ｂと内輪１１２との間には浮き輪１１６が周方向（図８において紙面直交方向）に設けられている。
一方、内輪１１２を幅方向に３等分する位置には、潤滑油を供給する給油穴１１７が内輪１１２の半径方向に貫通して設けられており、前述した浮き輪１１６の下に位置する。
【０００５】
図９には、内輪分離つば／外輪外つばつき３列円筒ころ１０９の断面が示されている。すなわち、内輪１１２の左右両端部には内輪１１２から分離した内輪分離つば１１８が設けられ、外輪１１３の左右両端部には外輪１１３と一体的な外輪外つば１１９が設けられている。内輪分離つば１１８の厚さと外輪つば１１９の厚さは同じであり、これらのつば１１８、１１９の内側に長さの等しい３列のころ１１４ｂを転動自在に保持するための保持器１１５ａ，１１５ｂが設けられている。
なお、図８において前述したものと共通する部位には同じ符号を付して重複する説明を省略する。
【０００６】
図１０には、内輪つば／外輪中つば付き２列円筒ころ１１０の断面が示されている。すなわち、一対の内輪１１２ａ，１１２ｂの外側端部には内輪１１２ａと一体的な内輪つば１２０が設けられ、外輪１１３の中央部には外輪中つば１２１が設けられている。外輪中つば１２１の左右両側に配置された２列のころ１１４ｃは保持器１１５により転動自在に保持されている。保持器１１５と内輪１１２との間には浮き輪１１６が周方向（図１０において紙面直交方向）に設けられている。
一方、内輪１１２ａ，１１２ｂの突き合わせ面には、潤滑油を供給する給油穴１１７が設けられており、前述した浮き輪１１６の下に位置する。なお、図８または図９において前述したものと共通する部位には同じ符号を付して重複する説明を省略する。
【０００７】
図１１には、内輪分離つば／外輪中つば付き２列円筒ころ１１１の断面が示されている。すなわち、内輪１１２の左右両端部には内輪１１２から分離した内輪分離つば１１８が設けられ、外輪１１３の左右両端部には外輪１１３と一体的な外輪つば１１９が設けられるとともに、外輪１１３の中央部には外輪中つば１２１が設けられている。外輪中つば１２１の左右両側には、２列のころ１１４ｃを保持するための保持器１１５が設けられており、保持器１１５と内輪１１２との間には浮き輪１１６が周方向（図１０において紙面直交方向）に設けられている。なお、図８から図１０において前述したものと共通する部位には同じ符号を付して重複する説明を省略する。
【０００８】
【発明が解決しようとする課題】
ところで、これらの軸受形式は、圧延される鋼板や圧延条件により多段圧延機１００を使用するユーザによって使い分けされているので、基本的にどのタイプのころ軸受でも使用できるように各軸受への給油穴１１７は３箇所設けられている。
すなわち、つばなし３列円筒ころ１０８の場合には、潤滑油は、図１２に示すように、前述した支持軸１０７に設けられている３本のうち両外側の潤滑油供給穴１０６ａ、１０６ｃを用いて供給されることになる。なお、図７と共通する部位には同じ符号を付して、重複する説明を省略する。
【０００９】
また、内輪つば／外輪中つば付き２列円筒ころ１１０および内輪分離つば／外輪中つば付き２列円筒ころ１１１の場合には、潤滑油は、図１３に示すように、前述した支持軸１０７に設けられている３本のうち中央の潤滑油供給穴１０６ｂを用いて供給されることになる。
しかしながら、軸受形式を内輪分離つば／外輪外つばつき３列円筒ころ１０９に変更する場合、図１４および図１５に示すように、支持軸１０７に設けられている潤滑油供給穴１１６ｃが軸受内輪１１２の給油穴１１７の位置からずれて、潤滑油が供給されないため使用できないという問題がある。
【００１０】
この問題に対して、給油穴１１７位置を合わせてすべての軸受形式間の変更を可能にするためには、支持軸１０７に潤滑油供給穴１０６を追加する方法と、軸受の給油穴１１７位置を潤滑油供給穴１０６位置に合わせる方法がある。
しかし、支持軸１０７に潤滑油供給穴１０６を追加することは非常に困難であり、多くの時間とコストを要する。また、図１６に示すように、軸受の給油穴１１７位置を支持軸１０７の潤滑油供給穴１０６に合わせると、ころ１１４の長さを合わせることができず、組み立て時に間違えたり、ころ１１４にかかる荷重が均等でなくなるという問題がある。
【００１１】
本発明は、前述した問題点に鑑みてなされたものであり、その目的は、軸受形式を変えても潤滑油の供給を行うことのできるバックアップロール軸用ころ軸受を提供することにある。
【００１２】
【課題を解決するための手段】
前述した目的を達成するために、本発明は、多段圧延機のバックアップロール軸を支持するために、前記バックアップロール軸が挿入される内輪と、この内輪に同軸配置された外輪と、前記内輪の内輪軌道面および前記外輪の外輪軌道面間に複数列配置された多数のころと、前記内輪の内周面から当該内輪の外周面まで貫通する給油穴とを有するバックアップロール軸用ころ軸受であって、前記給油穴の貫通方向が、前記バックアップロールに設けられている潤滑油供給穴に対応する位置から前記内輪の外周面における前記ころが通過する内輪軌道面以外の個所に向けて、前記内輪の径方向に対して斜めに形成されていることを特徴としている。
【００１３】
ここで、内輪軌道面以外の箇所とは、内輪が回転した際にローラがまったく接触しない箇所、例えば、ころところとの間やころの両外側がある。また、内輪の径方向に対して斜めとは、給油穴が徒に長くならないように、内輪の中心軸を含む平面内において斜めであることが望ましい。
【００１４】
このように構成されたバックアップロール軸用ころ軸受においては、内輪に設ける給油穴の方向を斜めにすることにより、内輪の内周面における給油穴の位置を、常にバックアップロール軸の決められた位置に設けられている潤滑油供給穴に対応する位置に位置決めすることができるので、常にころに潤滑油を供給することができることになり、異なる形式のバックアップロール軸用ころ軸受に変更することが可能になる。
従って、このバックアップロール軸用ころ軸受においては、軸受形式を変えた場合に潤滑油の供給を行うことができない場合があるという従来の問題を解消できることになる。
【００１５】
また、前記給油穴が前記内輪の軸方向に沿って二列設けられていると共に、前記各列の前記各給油穴が前記内輪の外周面に向かって互いに近づく方向に斜めに形成されている。
このように構成されたバックアップロール軸用ころ軸受においては、３列のロールのロール間の２箇所に潤滑油を供給するために、バックアップロール軸に設けられた３本の潤滑油供給穴のうち外側の２本を用いるべく、２本の給油穴を互いに接近する方向に斜めに設ける。これにより、両給油穴に作用する油圧を均等になるようにする。
【００１６】
【発明の実施の形態】
以下、本発明に係る実施の形態を図面に基づいて詳細に説明する。なお、以下に説明する実施の形態において、既に図６ないし図１６において説明した部材等については、図中に同一符号あるいは相当符号を付すことにより説明を簡略化あるいは省略する。
【００１７】
図１から図３には、この発明にかかるバックアップロール軸用ころ軸受１０の第１実施形態が示されている。このバックアップロール軸用ころ軸受１０は内輪分離つば／外輪外つばつき３列円筒ころ（図９参照）であり、給油穴１１の貫通方向が、内輪１１２の内周面１１２ａであってバックアップロール軸１２に設けられている潤滑油供給穴１０６に対応する位置から内輪１１２の外周面１１２ｂにおけるころ１１４ｂが通過する内輪軌道面以外の個所に向けて斜めに設けられている。
【００１８】
すなわち、２本の給油穴１１が、内輪１１２の径方向（図２において上下方向）に対して斜めに形成されており、２本の給油穴１１は内輪１１２の外周面１１２ｂ側に向かって互いに接近する方向に設けられている。
これにより、両給油穴１１に作用する油圧が均等となるようにして、ころ１１４ｂに均等に潤滑油を供給するようにする。
【００１９】
なお、内輪軌道面以外の箇所とは、内輪１１２が回転した際にころ１１４ｂがまったく接触しない箇所、例えば、ころ１１４ｂところ１１４ｂとの間、および内輪１１２の左右両端部が該当するが、給油穴１１が徒に長くならないようにすると共に十分な潤滑油を供給するために、３本の潤滑油供給穴１０６の両外側の２本１０６ａ、１０６ｃから潤滑油を供給するようにしている。
なお、給油穴１１を徒に長くしない観点から、給油穴１１は内輪１１２の中心軸を含む平面内において斜めであることが望ましい。
【００２０】
このように構成することにより、内輪分離つば／外輪外つばつき３列円筒ころに変更する場合に、バックアップロール軸１２に設けられている３本の潤滑油供給穴１０６をもちいて、バックアップロール軸用ころ軸受１０に潤滑油を供給することができる。
【００２１】
図４には、この発明にかかるバックアップロール軸用ころ軸受３０の第２実施形態である内輪分離つば／外輪外つばつき３列円筒ころ（図９参照）の場合が示されている。この場合には、前述した第１実施形態の変形であり、２本の潤滑油供給穴１０６ａ、１０６ｂが使用されている。
これは、バックアップロール軸１２に設けられている２本の潤滑油供給穴１０６ｂ、１０６ｃから、内輪軌道面以外の箇所であるころ１１４ｂところ１１４ｂとの間までの距離がほぼ等しいような場合であり、２本の給油穴１１が同じ方向に斜めとなっている。
【００２２】
このように構成することにより、内輪分離つば／外輪外つばつき３列円筒ころに変更する場合に、バックアップロール軸１２に設けられている３本の潤滑油供給穴１０６をもちいて、バックアップロール軸用ころ軸受３０に潤滑油を供給することができる。
【００２３】
図５には、この発明にかかるバックアップロール軸用ころ軸受４０の第３実施形態であるつばなし３列円筒ころ（図１０参照）の場合が示されている。
この場合には、前述した第１実施形態におけるバックアップロール軸用ころ軸受１０の場合と同様であるが、ころ１１４ａ、１１４ａの間隔と、バックアップロール軸１２に設けられている３本の潤滑油供給穴１０６の間隔との関係から、２本の給油穴１１を内輪１１２の外周面１１２ｂに向かって互いに離反する方向へ傾けたものである。
【００２４】
このように構成することにより、つばなし３列円筒ころのバックアップロール軸用ころ軸受１０に変更する場合でも、バックアップロール軸１２に設けられている３本の潤滑油供給穴１０６をもちいて潤滑油を供給することができる。
【００２５】
なお、本発明のバックアップロール軸用ころ軸受は、前述した各実施形態に限定されるものでなく、適宜な変形、改良等が可能である。
【００２６】
【発明の効果】
以上、説明したように、本発明にかかるバックアップロール軸用ころ軸受によれば、内輪に設ける給油穴の方向を斜めにすることにより、内輪の内周面における給油穴の位置を、常にバックアップロール軸の決められた位置に設けられている潤滑油供給穴に対応する位置に位置決めすることができるので、バックアップロール軸用ころ軸受の形式を変更しても常にころに潤滑油を供給することができることになる。
【図面の簡単な説明】
【図１】本発明に係るバックアップロール軸用ころ軸受の第１実施形態を示す要部断面図である。
【図２】本発明に係る第１実施形態である内輪分離つば／外輪外つば付き３列円筒ころの断面図である。
【図３】図１中ＩＩＩ部分の拡大断面図である。
【図４】本発明に係る第２実施形態である内輪分離つば／外輪外つば付き３列円筒ころの断面図である。
【図５】本発明に係る第３実施形態であるつばなし３列円筒ころの断面図である。
【図６】従来より一般的な多段圧延機の概略構成図である。
【図７】（Ａ）はバックアップロールの正面図であり、（Ａ）はバックアップロールの一部破断の断面図である。
【図８】従来のつばなし３列円筒ころの断面図である。
【図９】従来の内輪分離つば／外輪外つば付き３列円筒ころの断面図である。
【図１０】従来の内輪つば／外輪中つば付き２列円筒ころの断面図である。
【図１１】従来の内輪分離つば／外輪中つば付き２列円筒ころの断面図である。
【図１２】従来のつばなし３列円筒ころにおける潤滑油供給状態を示す断面図である。
【図１３】従来の内輪分離つば／外輪中つば付き２列円筒ころにおける潤滑油供給状態を示す断面図である。
【図１４】従来の内輪分離つば／外輪外つば付き３列円筒ころにおける潤滑油供給状態を示す断面図である。
【図１５】従来の問題点である図１４中ＸＶＩ部分の拡大断面図である。
【図１６】従来の問題点を示す断面図である。
【符号の説明】
１０，３０，４０　バックアップロール軸用ころ軸受
１１　給油穴
１２　バックアップロール軸
１００　多段圧延機
１０６　潤滑油供給穴
１１２　内輪
１１２ｂ　外周面
１１３　外輪
１１４　ころ
【図１】
2004017081.tif 000003
【図２】
2004017081.tif 000004
【図３】
2004017081.tif 000005
【図４】
2004017081.tif 000006
【図５】
2004017081.tif 000007
【図６】
2004017081.tif 000008
【図７】
2004017081.tif 000009
【図８】
2004017081.tif 000010
【図９】
2004017081.tif 000011
【図１０】
2004017081.tif 000012
【図１１】
2004017081.tif 000013
【図１２】
2004017081.tif 000014
【図１３】
2004017081.tif 000015
【図１４】
2004017081.tif 000016
【図１５】
2004017081.tif 000017
【図１６】
2004017081.tif 000018